(57)【要約】【課題】  液体容器口部に装着された升蓋を取り外してして行う液体の計量時に、液体が手や液体容器に垂れる問題を解決する。【解決手段】    液体容器口部に装着する升蓋上部に液排口と軸受が形成された覆いと蓋を装着し、升蓋下部に液流調整弁装着口を形成して液流調整弁装着口に球体を有する液流調整弁挿入し、液流調整弁と蓋間に縦軸を装着すると共に蓋の脱着により液流調整弁と縦軸は、縦軸に形成されたバネによる上下動により液流調整弁内の球体の動きを調整する形状に形成されている。【選択図】図３
2014034408.tif 000002
【特許請求の範囲】
【請求項１】
液体容器口部に装着された升蓋と液体容器を逆さまにして液体を計量する升蓋において、升蓋上部に液排口と縦軸受が形成された覆いと蓋を装着し、升蓋下部に噛み合い部がある液流調整弁装着口を形成して、液流調整弁装着口に挿入する液流調整弁に液流口を設け、球体を有する液流調整弁上部に切れ込みとフック形成し、液流調整弁と蓋間に装着する縦軸下部に液流口Bとフック留めを形成しフック留にフックを係止させると共に蓋の脱着により液流調整弁と縦軸は、縦軸に形成されたバネによる縦軸の上下動により液流調整弁内の球体の動きを調整する形状に形成されていることを特徴とする升蓋液体容器。
【請求項２】
前記升蓋に柔軟性素材を使用し升蓋と液体容器を傾け液体を計量する升蓋において、升蓋側部に液流穴と突起Ａを形成し液流穴上部に液流口を設け、升蓋側部の液流穴に向う升蓋側部に空流穴と突起Ｂを形成し空流穴上部に空流口を設け、縦軸の上下動により液流口と空流口を同時に開閉するための液空流調整弁を液流穴と空流穴間に配設し、液空流調整弁端に突起Ａに留るフックＡと突起Ｂに留るフックＢが形成されて、升蓋側面を押して升蓋側部の変形により液流口が開閉されることを特徴とする請求項１に記載の升蓋液体容器。
【発明の詳細な説明】
【技術分野】
【０００１】
液体容器の口部に装着され液体容器内の液体必要量を計量した後に液体使用箇所に流し込む時に用いられるカップ蓋液体容器に関する。
【背景技術】
【０００２】
従来カップ蓋液体容器では特許文献１、特許文献２、特許文献３のものが知られているが、いずれも洗濯時に計量升を兼ねるカップ蓋のキャップを開けるか又はカップ蓋そのものを取り外し、液体を使用しなければならなかった。
【先行技術文献】
【特許文献】
【０００３】
【特許文献１】実開平４−１６１６４号公報
【特許文献２】実開平７−２８０５３号公報
【特許文献３】特開２０１０−１７３７１２号公報
【発明の概要】
【発明が解決しようとする課題】
【０００４】
特許文献１は、升蓋上の計量キャップを取り外して液体を計量してから液体使用箇所へ使用しなければならない、又計量キャップに出しすぎた液体を液体容器へ戻す場合に液体が計量キャップより容器や手、床などに垂れてしまう問題を解決しようとするものである。
【課題を解決するための手段】
【０００５】
請求項１は、液体容器口部に装着された升蓋と液体容器を逆さまにして液体を計量する升蓋において、升蓋上部に液排口と縦軸受が形成された覆いと蓋を装着し、升蓋下部に噛み合い部がある液流調整弁装着口を形成して、液流調整弁装着口に挿入する液流調整弁に液流口を設け、球体を有する液流調整弁上部に切れ込みとフック形成し、液流調整弁と蓋間に装着する縦軸下部に液流口Bとフック留めを形成しフック留にフックを係止させると共に蓋の脱着により液流調整弁と縦軸は、縦軸に形成されたバネによる縦軸の上下動により液流調整弁内の球体の動きを調整する形状に形成されている升蓋液体容器。
【０００６】
請求項２は、前記升蓋に柔軟性素材を使用し升蓋と液体容器を傾け液体を計量する升蓋において、升蓋側部に液流穴と突起Ａを形成し液流穴上部に液流口を設け、升蓋側部の液流穴に向う升蓋側部に空流穴と突起Ｂを形成し空流穴上部に空流口を設け、縦軸の上下動により液流口と空流口を同時に開閉するための液空流調整弁を液流穴と空流穴間に配設し、液空流調整弁端に突起Ａに留るフックＡと突起Ｂに留るフックＢが形成されて、升蓋側面を押して升蓋側部の変形により液流口が開閉される升蓋液体容器。
【０００７】
請求項１に対応する液体容器は、液体容器口部に装着する蓋側部を上に伸ばして液体を計量できる形状にし、升蓋にして、液体容器口部に形成された雄螺子に螺合する雌螺とこの雄螺子と雌螺の緩み止めを升蓋下部に設ける。
【０００８】
升蓋底中央に液流調整弁を装着する液流調整弁装着口を設け、液流調整弁内部に重い球体を挿入して、液流調整弁下部に液流口と、液流調整弁上部に切れ込み部とフックから成る噛み合い部を形成し、液流調整弁装着口内に液流調整弁上部の噛み合い部との噛み合い部を形成する。
【０００９】
升蓋上部に液排口を有する覆いと蓋配設し、液排口中央に液流調整弁を下に押す縦軸が貫通する縦軸受けを形成し、縦軸には縦軸はね上がりバネと液流口Bとフック留が形成され、球体を有する液流調整弁が液流調整弁装着口内で上下動可能な状態に液流調整弁上部の噛み合い部と液流調整弁装着口内の噛み合い部と噛み合わせ、フックをフック留に係止して、縦軸受けに縦軸上部を貫通させて、升蓋に目安計量線と計量線を記入する。
【００１０】
請求項２に対応する液体容器は、液体容器口部に装着する柔軟性升蓋側部に液流穴と突起Ａを形成し、液流穴上部に液流口を設け液流穴下部は液体容器口部に続き、升蓋側部の液流穴に向う升蓋側部に空流穴と突起Ｂを形成し空流穴上部に空流口を設け空流穴下部は液体容器口部に続く。
【００１１】
升蓋上部に液排口を有する覆いを装着し、液流口と空流口を同時に開閉するための液空流調整弁を液流穴と空流穴間に配設し、液空流調整弁端に突起Ａに係止するフックＡと突起Ｂに係止するフックＢ形成し、液空流調整弁に液空流調整弁の中央より上に伸びる軸と軸に葉バネを形成し、液排口内に軸が貫通する軸受けを設け、葉バネを液流穴と空流穴上に掛け軸を有する液空流調整弁を液流口と空流口と軸受けを支店とし上下可動に配設する。
【００１２】
液空流調整弁と軸を押し下げ液排口を塞ぐ蓋を覆い上部に装着して、液体容器口部と升蓋下部との螺合の緩み止めを形成し、升蓋正面に傾斜計量線と横計量線を記入する。
【発明の効果】
【００１３】
請求項１に対応する液体容器は、升蓋上部に液排口を有する覆いと蓋を配設し、液排口中央に液流調整弁を下に押す縦軸が貫通する縦軸受けを設け、縦軸には縦軸はね上がりバネが形成され、縦軸受けに縦軸上部を貫通させて装着されていることにおいて、覆いより蓋をはずし、縦軸受けを上下動できる。
【００１４】
升蓋底中央に液流調整弁を装着する液流調整弁装着口を設け、液流調整弁内部に重い球体を挿入して、液流調整弁下部に液流口と、液流調整弁上部に切れ込み部とフックから成る噛み合い部を形成し、液流調整弁装着口内に液流調整弁上部の噛み合い部との噛み合い部を形成する  縦軸下部に  と液流口Bとフック留が形成され、球体を有する液流調整弁が液流調整弁装着口内で上下動可能な状態に液流調整弁上部の噛み合い部と液流調整弁装着口内の噛み合い部と噛み合わせ、フックをフック留に係止されていることにおいて、縦軸の上下動で液流調整弁が上下動すると共に液流調整弁内の球体の動きは靜動され液流口を開閉する。
【００１５】
請求項２に対応する液体容器は、柔軟性升蓋上部に液排口内に軸受けを有する覆いと蓋を配設し升蓋側部に液流穴と液流穴上部に液流口を設け、升蓋側部の液流穴に向う升蓋側部に空流穴と空流穴上部に空流口を設け、液流穴と空流穴間に液空流調整弁を配設し、液空流調整弁の中央より上に伸びる軸と軸に葉バネを形成してあることにおいて、覆いから蓋の脱着により液流口と空流口を同時に開閉できる。
【００１６】
液流穴上部に突起Ａと空流穴上部に突起Ｂを形成し、液空流調整弁端に突起Ａに係止するフックＡと突起Ｂに係止するフックＢ形成してあることにおいて、柔軟性升蓋側面を押して升蓋を変形して液流口を開閉できる。
【図面の簡単な説明】
【００１７】
【図１】液体容器（１）と升蓋（２）の正面図、切断線Ａ−Ａ線を示す。
【図２】液体容器（１）と升蓋（２）と蓋（１２）の平面図、切断線Ｂ−Ｂ線を示す。
【図３】図２のB−B線切断部端面図、蓋（１２）を装着している。
【図４】図２のB−B線切断部端面図、蓋（１２）を外している。
【図５】液流調整弁（３）の斜視図。
【図６】図１のＡ−Ａ線切断部端面図。
【図７】覆い（１１）の平面図。
【図８】液体容器（２０）と升蓋（２１）の正面図、切断線C−C線を示す。
【図９】液体容器（２０）と升蓋（２１）と蓋（３６）の平面図、切断線D−D線を示す。
【図１０】図９のD−D線切断部端面図、蓋（３６）を装着してある。
【図１１】図９のD−D線切断部端面図、蓋（３６）を外してある。
【図１２】図８のC−C線切断部端面図。
【図１３】覆い（２９）の平面図。
【発明を実施するための形態】
【００１８】
以下図面に基づき説明する。
請求項１に対応する液体容器（１）図１−図７符合１−符号１９は、液体容器（１）口部に形成された雄螺子に螺合する雌螺とこの雄螺子と雌螺の緩み止めを升蓋（２）下部に設ける。
【００１９】
升蓋（２）底中央に液流調整弁（３）を装着する液流調整弁装着口（４）を設け、液流調整弁（３）内部に重い球体（５）を挿入して、液流調整弁（３）下部に液流口（６）と、液流調整弁（３）上部に切れ込み部（７）とフック（８）から成る噛み合い部を形成し、液流調整弁装着口（４）内に液流調整弁（３）上部の噛み合い部との噛み合い部（９）を形成する。
【００２０】
升蓋（２）上部に液排口（１０）を有する覆い（１１）と蓋（１２）配設し、液排口（１０）中央に液流調整弁（３）を下に押す縦軸（１３）が貫通する縦軸受け（１４）を形成し、縦軸（１３）には縦軸（１３）はね上がりバネ（１５）と液流口B（１６）とフック留（１７）が形成され、球体（５）を有する液流調整弁（３）が液流調整弁装着口（４）内で上下動可能な状態に液流調整弁（３）上部の噛み合い部と液流調整弁装着口（４）内の噛み合い部（９）と噛み合わせ、フック（８）をフック留（１７）に係止して、縦軸受け（１４）に縦軸（１３）上部を貫通させて、升蓋（２）に目安計量線（１８）と計量線（１９）を記入する。
【００２１】
液体容器（１）の使用方法は、升蓋（２）に蓋（１２）を装着すると蓋（１２）が縦軸（１３）を押し下げると共に縦軸（１３）は液流調整弁（３）を押し下げ液流調整弁（３）内の球体（５）は液流調整弁（３）内を移動でき、必要量の液体を液体容器（１）内より升蓋（２）内に移動するために液体容器（１）逆さまにし、升蓋（２）を液体容器（１）の下にすると液体容器（１）内の液体は液流口（６）と液流調整弁（３）内と液流口B（１６）を通過し升蓋（２）内に流入すると共に、升蓋（２）内の空気は液流口B（１６）と液流調整弁（３）内と液流口（６）を通過し液体容器（１）内に流入する。
【００２２】
升蓋（２）内に流入する液体の必要量が目安計量線（１８）迄入った時点で液体容器（１）を立てて計量線（１９）で確認し液体が多く入った場合は液体容器（１）を傾け又は振って液流調整弁（３）内の球体（５）を液流調整弁（３）下部の液流口（６）より外して多く入った液体を升蓋（２）内より液体容器（１）内に戻す。
【００２３】
液体容器（１）内の計量された液体の液体必要箇所への排出は、升蓋（２）より蓋（１２）を外すと共に縦軸（１３）と液流調整弁（３）が縦軸（１３）のバネ（１５）により上り、液流調整弁（３）内の球体（５）は、液流調整弁装着口（４）内の噛み合い部（９）と液流調整弁（３）の下部とにより挟まれて動は止まり液流調整弁（３）下部の液流口（６）は閉じられて、液体容器（１）を傾けても液体容器（１）内の液体は升蓋（２）内に流入せず、液体容器（１）内の計量された液体を、液体容器（１）を傾け液排口（１０）より液体必要箇所へ排出できる。
【００２４】
液体容器（２０）図８−図１３符号２０−３９符号は、液体容器（２０）口部に装着する柔軟性升蓋（２１）側部に液流穴（２２）と突起Ａ（２３）を形成し液流穴（２２）上部に液流口（２４）を設け液流穴（２２）下部は液体容器（２０）口部に続き、升蓋（２１）側部の液流穴（２２）に向う升蓋（２１）側部に空流穴（２５）と突起Ｂ（２６）を形成し空流穴（２５）上部に空流口（２７）を設け空流穴（２５）下部は液体容器（２０）口部に続く。
【００２５】
升蓋（２１）上部に液排口（２８）を有する覆い（２９）を装着し、液流口（２４）と空流口（２７）を同時に開閉するための液空流調整弁（３０）を液流穴（２２）と空流穴（２５）間に配設し、液空流調整弁（３０）端に突起Ａ（２３）に係止するフックＡ（３１）と突起Ｂ（２６）に係止するフックＢ（３２）形成し、液空流調整弁（３０）に液空流調整弁（３０）の中央より上に伸びる軸（３３）と軸（３３）に葉バネ（３４）を形成し、液排口（２８）内に軸（３３）が貫通する軸受け（３５）を設け、葉バネ（３４）を液流穴（２２）上と空流穴（２５）上に掛け軸（３３）を有する液空流調整弁（３０）を液流口（２４）と空流口（２７）と軸受け（３５）を支店とし上下可動に配設する。
【００２６】
液空流調整弁（３０）と軸（３３）を押し下げ液排口（２８）を塞ぐ蓋（３６）を覆い（２９）上部に装着して、液体容器（２０）口部と升蓋（２１）下部との螺合の緩み止め（３７）を形成し、升蓋（２１）正面に傾斜計量線（３８）と横計量線（３９）を記入する。
【００２７】
液体容器（２０）の使用方法は、必要量の液体を計量するために升蓋（２１）と蓋（３６）との螺合を確認し液体容器（２０）を液流穴（２２）方向に傾けることにより、液体容器（２０）内の液体は液流穴（２２）下部より液流穴（２２）に流入し液流口（２４）を通過して升蓋（２１）内に流入すると共に升蓋（２１）内の空気は、空流口（２７）と空流穴（２５）を通過して液体容器（２０）口部に流入して、必要量の液体表面と傾斜計量線（３８）と交わせてから液体容器（２０）を立て横計量線（３９）で確認し余分に入った液体は再度液体容器（２０）を液流穴（２２）方向に傾け液流口（２４）から液流穴（２２）に流入させ液体容器（２０）に戻す。
【００２８】
升蓋（２１）内に計量された液体の液体必要箇所への排出は、升蓋（２１）より蓋（３６）を外すことにより葉バネ（３４）により液空流調整弁（３０）と軸（３３）が上ると共に液流口（２４）と空流口（２７）は液空流調整弁（３０）により閉まって、液体容器（２０）を傾けて升蓋（２１）内の計量された液体を液排口（２８）より液体使用箇所に排出する。
【００２９】
液体容器（２０）内の液体を計量せずに液体必要箇所への排出は、覆い（２９）より蓋（３６）を外すことにより葉バネ（３４）により液空流調整弁（３０）と軸（３３）が上ると共に液流口（２４）と空流口（２７）は液空流調整弁（３０）により閉まって、升蓋（２１）の正面と背面を指で押し、升蓋（２１）を変形すると共に液流穴（２２）と空流穴（２５）の距離は広がり、突起Ｂ（２６）にフックＢ（３２）が留り空流口（２７）は開かず、フックＡ（３１）は突起Ａ（２３）迄移動してから突起Ａ（２３）で止まり液流口（２４）は開く。
【００３０】
液体容器（２０）を傾けると共に液体容器（２０）内の液体は液流穴（２２）下部より液流穴（２２）に流入し液流口（２４）を通過して升蓋（２１）内に流入し液排口（２８）より液体使用箇所に排出する。
【産業上の利用可能性】
【００３１】
一般家庭において使用する洗濯洗剤や柔軟剤や口腔洗剤、手に付いて好ましくない液体で液体量を計量して使用する殺虫剤、蓋を開けて使用し外部の空気が容器内は入り酸化を嫌う液体容器、に使用出来る。
【符号の説明】
【００３２】
１  液体容器
２  升蓋
３  液流調整弁
４  液流調整弁装着口
５  球体
６  液流口
７  切れ込み
８  フック
９  噛み合い部
１０  液排口
１１  覆い
１２  蓋
１３  縦軸
１４  縦軸受け
１５  バネ
１６  液流口B
１７  フック留め
１８  目安計量線
１９  計量線
２０  液体容器
２１  升蓋
２２  液流穴
２３  突起Ａ
２４  液流口
２５  空流穴
２６  突起Ｂ
２７  空流口
２８  液排口
２９  覆い
３０  液空流調整弁
３１  フックＡ
３２  フックＢ
３３  軸
３４  葉バネ
３５  軸受け
３６  蓋
３７  緩み止め
３８  傾斜計量線
３９  横計量線
【図１】
2014034408.tif 000003
【図２】
2014034408.tif 000004
【図３】
2014034408.tif 000005
【図４】
2014034408.tif 000006
【図５】
2014034408.tif 000007
【図６】
2014034408.tif 000008
【図７】
2014034408.tif 000009
【図８】
2014034408.tif 000010
【図９】
2014034408.tif 000011
【図１０】
2014034408.tif 000012
【図１１】
2014034408.tif 000013
【図１２】
2014034408.tif 000014
【図１３】
2014034408.tif 000015